(57)【要約】      （修正有）【課題】使用者に温かい感じを与えると共に安全性に優れたトイレブースを提供する。【解決手段】間仕切板とドア板を形成する枠体２を複数組み合わせて構成する。枠体２を、枠本体部１０とエッジ部材とで構成する。枠本体部を、ペーパーコア１１のおもて面と裏面にパネル材１２を貼り付け、その端面の中心部に取付凹部１３を形成して構成する。エッジ部材を、エッジ本体部２１と装飾層２３で構成する。エッジ本体部２１を、枠本体部１０の端面全体を覆う断面略傘形状とし、その上面に円弧面２１ａを形成し、下面に直線面２２ｂとその両端部から下方に突出し、枠本体部の端面に接着剤を介して当接する突出部２１ｃを形成する。直線面の中心部から、枠本体部の取付凹部１３に嵌入する取付凸部２２を垂下設する。装飾層２３を、エッジ本体部の円弧面に形成する。【選択図】図３
0003190649.tif 000002
【実用新案登録請求の範囲】
【請求項１】
間仕切板（１０ａ）およびドア板（１０ｂ）を形成する枠体（２）を複数組み合わせて構成するトイレブースであって、前記枠体は，枠本体部（１０）とエッジ部材（２０）とで構成され、前記枠本体部は，基材であるペーパーコア（１１）のおもて面と裏面に少なくともパネル材（１２）が貼り付けられ，上端面（Ｅ１）と側端面（Ｅ２）と下端面（Ｅ３）を含む端面（Ｅ）の中心部に長手方向に沿って取付凹部（１３）が形成されたものであり、前記エッジ部材は，前記枠本体部の端面の全体を覆う大きさを有する断面略傘形状で，上面に円弧面（２１ａ）を備え，下面に直線面（２１ｂ）とその両端部から下方に突出し，前記枠本体部の端面に接着剤を介して当接する突出部（２１ｃ）を備えると共に，前記直線面の中心部から垂下設され，前記枠本体部の取付凹部に嵌入する取付凸部（２２）を備えるＡＢＳ樹脂製のエッジ本体部（２１）と，前記エッジ本体部の円弧面に形成された装飾層（２３）とを有するものであるトイレブース。
【考案の詳細な説明】
【技術分野】
【０００１】
本考案は、使用者に温かい感じを与えると共に安全性に優れた枠体で形成されたトイレブース（特に子供用トイレブース）に関するものである。
【背景技術】
【０００２】
仕切り板やドア板などの枠体を組み合わせて形成したトイレブースが、例えば、幼稚園や保育園など多くの場所で使用されている。この枠体は、通常、基材であるペーパーコア１１のおもて面と裏面に樹脂製などのパネル材を取付けて剛性を確保している（例えば、特許文献１参照）。
【０００３】
また、こうした枠体は、その上端面や側端面などの端面に金属製（通常、アルミニウム製）のエッジ部材を取付けて、剛性さらに高めている。
【先行技術文献】
【特許文献】
【０００４】
【特許文献１】特開平８−２３０１０８号公報
【考案の概要】
【考案が解決しようとする課題】
【０００５】
しかし、枠体の端面に金属製のエッジ部材を取り付けたトイレブースは、冷たくて硬い印象を与えてしまう。また、そのエッジ部材に強く衝突したり、ドア板を開閉する際に当該ドア板のエッジ部材と間仕切板のエッジ部材の間に手などを挟まれることによって怪我をしてしまうことがある。特に、子供用のトイレブースではそうした危険性が高い。
【０００６】
本考案はこうした問題に鑑み創案されたもので、使用者に温かい感じを与えると共に安全性に優れたトイレブースを提供することを課題とする。
【課題を解決するための手段】
【０００７】
図１乃至図３を参照して説明する。本考案に係るトイレブース１は、間仕切板１０ａおよびドア板１０ｂを形成する枠体２を複数組み合わせて構成されるものであり、前記枠体２は、枠本体部１０とエッジ部材２０とで構成される。前記枠本体部１０は、基材であるペーパーコア１１のおもて面と裏面に少なくともパネル材１２が貼り付けられ、また、当該枠本体部１０の上端面Ｅ１と側端面Ｅ２と下端面Ｅ３を含む端面Ｅの中心部に長手方向に沿って取付凹部１３が形成される。
【０００８】
前記エッジ部材２０は、前記枠本体部１０の端面Ｅの全体を覆う大きさを有する断面略傘形状で、上面に円弧面２１ａを備え、下面に直線面２１ｂとその両端部から下方に突出し、前記枠本体部１０の端面Ｅに接着剤を介して当接する突出部２１ｃを備えると共に、前記直線面２１ｂの中心部から垂下設され、前記枠本体部１０の取付凹部１３に嵌入する取付凸部２２を備えるＡＢＳ樹脂製のエッジ本体部２１と、前記エッジ本体部２１の円弧面２１ａに形成された装飾層２３とを備える。
【考案の効果】
【０００９】
本考案に係るトイレブース１は、枠体２の構成部材である枠本体部１０の端面Ｅに、ＡＢＳ樹脂製のエッジ本体部２１を主体としたエッジ部材２０を取付けたので、金属製のエッジ部材を取付けた従来のトイレブースと比較して、使用者に温かい感じを与えることができる。また、ＡＢＳ樹脂は比較的軟質であるため、使用者が強く当たっても怪我をすることがなく安全性に優れる。
【００１０】
また、このエッジ部材２０はエッジ本体部２１の円弧面２１ａに装飾層２３を設けているので、例えば、当該装飾層２３の色を枠本体部１０のパネル材１２の色と統一させることによって、枠体２およびトイレブース１の外観性を向上させることができる。
【００１１】
さらに、このエッジ部材２０はその取付凸部２２を、枠本体部１０の取付凹部１３に嵌入すると共に、突出部２１ｃを枠本体部１０の端面Ｅに接着剤を介して当接するので極めて強固に取り付けることができる。
【００１２】
また、枠本体部１０はペーパーコア１１を基材として形成しているので、枠体２の軽量化を図ることができ、その取り扱いが容易である。さらに、この枠体２で形成されるドア板１０ｂが軽量となるので、その開閉を容易に行うことができる。
【図面の簡単な説明】
【００１３】
【図１】本考案に係るトイレブースの実施形態を示す斜視図である。
【図２】図１に示すトイレブースの枠体を示す要部断面図である。
【図３】図２の要部拡大図である。
【考案を実施するための形態】
【００１４】
本考案に係るトイレブース１の実施形態を、図１乃至図３に示す。このトイレブース１は幼稚園や保育園などに設置される児童用のもの（いわゆるロータイプ）であり、間仕切板１０ａとドア板１０ｂを形成する枠体２を複数組み合わせることによって構成されている。それぞれの枠体２は、枠本体部１０とエッジ部材２０とで構成される。
【００１５】
枠本体部１０は、ペーパーコア１１を基材とし、そのペーパーコア１１のおもて面と裏面のそれぞれにパネル材１２を貼り付けている。この枠本体部１０の端面Ｅ（上端面Ｅ１、側端面Ｅ２および下端面Ｅ３とそれらが連接するコーナー部分）には、その短尺方向の中心部に長手方向に沿って取付凹部１３を形成している。
なお、パネル材１２の形成材料は限定されないが、木材や樹脂材の他、例えば、高圧メラミン化粧板、溶融亜鉛メッキ鋼板あるいはケイ酸カルシウム板などで構成することができる。また、ペーパーコア１１とパネル材１２との間には必要に応じて裏打材（図示せず）を設けることができる。  
【００１６】
エッジ部材２０は、枠体１０の端面Ｅの全体を覆う大きさであり、エッジ本体部２１と装飾層２３とで構成され、その短尺方向の断面形状が略傘状をなしている。エッジ本体部２１は、比較的軟質であるＡＢＳ樹脂で形成しており、その上端面には短尺方向に沿って円弧状である円弧面２１ａを形成している。また、エッジ本体部２１の下端面には、その短尺方向に沿ってほぼ直線状である直線面２１ｂと、その短尺方向の両端部から下方に突出する突出部２１ｃを一体的に備えている。突出部２１ｃは、その下面が枠本体部１０の端面Ｅに接着剤を介して当接する。また、直線面２１ｂと端面Ｅとの間にも接着剤を介在させることが好ましい。
【００１７】
また、このエッジ部材２０のエッジ本体部２１は、直線面２１ｂから垂下設した取付凸部２２を一体的に備えている。この取付凸部２２は、枠本体部１０の取付凹部１３に対応して、直線面２１ｂの短尺方向の中心部に、長尺方向に沿って直線状に設けられている。この取付凸部２２は、取付凹部１３に密に嵌入する。なお、当該取付凸部２２の外周面には取付凹部１３からの抜け出しを防止するために複数の突条２２ａを突設している。
【００１８】
装飾層２３は、エッジ本体部２１の上端面に薄く積層されており、エッジ本体部２１と同じＡＢＳ樹脂あるいはＡＢＳ樹脂と一体成形することのできる材料で形成されている。本実施形態における装飾層２３は、枠本体部１０のパネル材１２と同じ色を備えており、これにより枠本体部１０との一体感を現出している。なお、この装飾層２３の色は限定されるものではなく、枠本体部１０と異なる色とすることもできる。
【００１９】
なお、本実施形態に係るトイレブース１は、枠体２の上端部と下端部の双方に補強材３０を内蔵し、ペーパーコア１１を補強している。この補強材３０の形成材料は限定されないが、例えば、木材や樹脂材などで形成することができる。
【００２０】
さらに本実施形態に係るトイレブース１は、間仕切板１０ａの下端を金属製の基礎部材３１を介してアンカーボルトＢで床Ｆに強固に固定している。また、ドア板１０ｂにはドアブＮを設けて、間仕切板１０ａにヒンジＨで開閉自在に接合している。
【００２１】
本実施形態に係るトイレブース１は、枠本体部１０の端面Ｅに少なくともエッジ本体部２１がＡＢＳ樹脂製であるエッジ部材２０を取付けているので、使用者に温かい感じを与えることができる。また、ＡＢＳ樹脂は比較的軟質であるため、例えば児童が強く当たっても怪我の危険性が極めて少ない。また、ドア板１０ｂと間仕切板１０ａとの間に手を挟んでも怪我をすることもない。従って、安全性に優れる。
【００２２】
また、エッジ部材２０はエッジ本体部２１の円弧面２１ａに装飾層２３を設け、この装飾層２３の色を枠体１０のパネル材１２と同じ色に統一しているので、枠体２およびトイレブース１全体の外観性を向上させることができる。
【００２３】
さらに、エッジ部材２０は、その取付凸部２２を枠本体部１０の取付凹部１３に密に嵌入すると共に、突出部２１ｃを枠本体部１０の端面Ｅに接着剤を介して当接（接着）しているので、枠本体部１０に強固に取り付けることができる。これにより、エッジ部材２０が枠本体部１０から離脱するといった事態を未然に防止することができる。
【００２４】
また、枠本体部２はペーパーコア１１を基材として形成しているので軽量であり、その取り扱いが容易である。これにより、ドア板１０ｂの軽量化を図ることができるので、当該ドア板１０ｂを児童でも容易に開閉することができる。
【符号の説明】
【００２５】
１        トイレブース
２        枠体
１０      枠本体部
１０ａ    間仕切板
１０ｂ    ドア板
１１      ペーパーコア
１２      パネル材
１３      取付凹部
２０      エッジ部材
２１      エッジ本体部
２１ａ    円弧面
２１ｂ    直線面
２１ｃ    突出部
２２      取付凸部
２２ａ    突条
２３      装飾層
３０      補強材
３１      基礎部材
Ｂ        アンカーボルト
Ｅ        端面
Ｅ１      上端面
Ｅ２      側端面
Ｅ３      下端面
Ｆ        床
Ｈ        ヒンジ
Ｎ        ドアノブ
【図１】
0003190649.tif 000003
【図２】
0003190649.tif 000004
【図３】
0003190649.tif 000005